(57)【要約】【課題】貯蔵物の乾燥を防止するとともに、多様な貯蔵物を簡単に最適な温度で貯蔵することのできる冷蔵庫を提供する。【解決手段】貯蔵物を収納する複数の収納容器５４ａ〜５４ｄを貯蔵室１２の縦方向に並設した冷蔵庫１において、貯蔵室１２の後方上部から冷気を吐出する吐出口１６ａと、貯蔵室１２の後方下部から冷気が流出する戻り口１９ａと、収納容器５４ａの側壁の一方に突設した前後に延びるレール部８２と、貯蔵室１２の側壁９３に設けられるとともにレール部８２に嵌合して収納容器５４ａを前後にスライド案内するガイド溝８１と、吐出口１６ａの下方に配されて吐出口１６ａからの冷気をレール部８２上に導く案内部８０とを備えた。【選択図】図５
2008304076.tif 000002
【特許請求の範囲】
【請求項１】
貯蔵物を収納する複数の収納容器を貯蔵室の縦方向に並設した冷蔵庫において、前記貯蔵室の後方上部から冷気を吐出する吐出口と、前記貯蔵室の後方下部から冷気が流出する戻り口と、前記貯蔵室の側壁及び前記収納容器の側壁の一方に突設した前後に延びるレール部と、他方に設けられるとともに前記レール部に嵌合して前記収納容器を前後にスライド案内するガイド溝と、前記吐出口の下方に配されて前記吐出口からの冷気を前記レール部上に導く案内部とを備えたことを特徴とする冷蔵庫。
【請求項２】
前記案内部は、前記貯蔵室の背壁と側壁とのコーナーに前記レール部と略同じ高さで突設された受け部を有することを特徴とする請求項１に記載の冷蔵庫。
【請求項３】
前記案内部は、前記貯蔵室の背面に突設して前記吐出口に対向するとともに左右の前記レール部に向かって山形に傾斜した第１、第２傾斜部を有することを特徴とする請求項１または請求項２に記載の冷蔵庫。
【請求項４】
前記貯蔵室の側方に側方仕切壁を介して他の貯蔵室を設け、第１、第２傾斜部の頂点を前記吐出口の中心よりも前記側方仕切壁側に偏って配置したことを特徴とする請求項３に記載の冷蔵庫。
【請求項５】
前記貯蔵室の上方に上方仕切壁を介して他の貯蔵室が設けられるとともに前記上方仕切壁を貫通して前記吐出口を形成し、前記吐出口が下方に行くほど左右に広がることを特徴とする請求項１〜請求項４のいずれかに記載の冷蔵庫。
【請求項６】
前記レール部の前端を前記ガイド溝の前端よりも後方に設けたこと特徴とする請求項１〜請求項５のいずれかに記載の冷蔵庫
【請求項７】
前記ガイド溝の上壁及び下壁は前記貯蔵室の側壁及び前記収納容器の側壁のいずれかから突設して前後に延びること特徴とする請求項１〜請求項６のいずれかに記載の冷蔵庫
【請求項８】
前記レール部は空隙を介して前後に並設される複数の突起部から成り、前記ガイド溝の前記上壁は上下に貫通する切欠きを有すること特徴とする請求項７に記載の冷蔵庫
【請求項９】
前記上壁の前端を前記下壁の前端よりも後方に設けたこと特徴とする請求項７または請求項８に記載の冷蔵庫
【請求項１０】
前記レール部は空隙を介して前後に並設される複数の突起部から成ること特徴とする請求項１〜請求項７に記載の冷蔵庫
【請求項１１】
前記貯蔵室が野菜室から成ること特徴とする請求項１〜請求項１０に記載の冷蔵庫
【発明の詳細な説明】
【技術分野】
【０００１】
本発明は冷蔵庫に関し、特に、貯蔵室内に収納容器を有する冷蔵庫に関する。
【背景技術】
【０００２】
従来の冷蔵庫は特許文献１に開示される。この冷蔵庫は冷蔵庫本体の上部より順に冷蔵室、野菜室、冷凍室が配置されている。冷蔵室の前面は回動式の開閉扉により開閉することができ、野菜室及び冷凍室はスライド式の開閉扉により収納容器とともに引き出せるようになっている。
【０００３】
冷凍室の背後には冷気を生成する冷却器が配置されている。冷却器により生成される冷気は分配室を介して冷凍室或いは冷蔵室に送出される。冷凍室では貯蔵物を冷凍保存するため、冷気の温度は例えば−２０℃に保持される。冷蔵室は貯蔵物を冷蔵保存するため、冷気の送出と停止とを繰り返して例えば３℃に保持される。
【０００４】
冷蔵室内の貯蔵物との熱交換により冷気の温度が上昇し、その後冷気は野菜室に流入する。野菜室内の収納容器には蓋が設けられている。冷蔵室から野菜室の前方に流入した冷気は上記蓋の上面を通り、収納容器の背面に沿って流下して冷却器に戻る。野菜室内の貯蔵物は収納容器及び蓋を介して伝えられる冷熱によって間接冷却される。これにより、貯蔵物に低温の冷気を直接接触させず、野菜等の乾燥を防止して鮮度を保持できるようになっている。
【０００５】
【特許文献１】特許第２６９８５６７号（第３頁−第１３頁、第４図）
【発明の開示】
【発明が解決しようとする課題】
【０００６】
しかしながら、上記従来の冷蔵庫によると、収納容器の上面及び背面を流通する冷気によって収納容器内が間接冷却されるため、収納容器の内部の温度分布が不均一になる問題があった。また、収納容器内の乾燥を防止するために蓋が設けられるため、部品点数が多くなる問題もあった。
【０００７】
本発明は、部品点数を削減して収納容器の内部の温度分布を均一にできる冷蔵庫を提供することを目的とする。
【課題を解決するための手段】
【０００８】
上記目的を達成するために本発明は、貯蔵物を収納する複数の収納容器を貯蔵室の縦方向に並設した冷蔵庫において、前記貯蔵室の後方上部から冷気を吐出する吐出口と、前記貯蔵室の後方下部から冷気が流出する戻り口と、前記貯蔵室の側壁及び前記収納容器の側壁の一方に突設した前後に延びるレール部と、他方に設けられるとともに前記レール部に嵌合して前記収納容器を前後にスライド案内するガイド溝と、前記吐出口の下方に配されて前記吐出口からの冷気を前記レール部上に導く案内部とを備えたことを特徴としている。
【０００９】
この構成によると、貯蔵室内に流入する冷気は後方上部の吐出口から貯蔵室内に吐出され、貯蔵室の背壁と収納容器の背面との間を流下する。例えば、収納容器の側壁には前後に延びるレール部が突設され、貯蔵室の側壁にはガイド溝が設けられる。収納容器はレール部とガイド溝との摺動によって前後にスライド移動する。収納容器の背後を流下する冷気の一部は案内部によってレール部の上方に導かれる。レール部の上方に導かれた冷気は収納容器の側壁とガイド部の先端との間に露出するレール部に沿って前方へ流通し、貯蔵室の前部を流下した後、戻り口から流出する。これにより、収納容器は背面、側面及び前面を通る冷気の冷熱によって内部が間接冷却される。
【００１０】
また本発明は上記構成の冷蔵庫において、前記案内部は、前記貯蔵室の背壁と側壁とのコーナーに前記レール部と略同じ高さで突設された受け部を有することを特徴としている。この構成によると、収納容器の背後を流下する冷気の一部は例えばコーナーにＬ字型に突設された受け部に沿って流通し、レール部の上方に導かれる。
【００１１】
また本発明は上記構成の冷蔵庫において、前記案内部は、前記貯蔵室の背面に突設して前記吐出口に対向するとともに左右の前記レール部に向かって山形に傾斜した第１、第２傾斜部を有することを特徴としている。この構成によると、収納容器の背後を流下する冷気は山形に形成された第１、第２傾斜面に沿って左右に流通し、冷気の一部がレール部の上方に導かれる。
【００１２】
また本発明は上記構成の冷蔵庫において、前記貯蔵室の側方に側方仕切壁を介して他の貯蔵室を設け、第１、第２傾斜部の頂点を前記吐出口の中心よりも前記側方仕切壁側に偏って配置したことを特徴としている。この構成によると、側方の貯蔵室側に導かれる冷気が少なく、外壁側に導かれる冷気が多くなる。
【００１３】
また本発明は上記構成の冷蔵庫において、前記貯蔵室の上方に上方仕切壁を介して他の貯蔵室が設けられるとともに前記上方仕切壁を貫通して前記吐出口を形成し、前記吐出口が下方に行くほど左右に広がることを特徴としている。この構成によると、上方の貯蔵室から吐出口によって冷気が左右に広がり、下方の貯蔵室に流入する。
【００１４】
また本発明は上記構成の冷蔵庫において、前記前記レール部の前端を前記ガイド溝の前端よりも後方に設けたこと特徴としている。この構成によると、レール部上に沿って流通する冷気の一部はレール部の前端から降下する。
【００１５】
また本発明は上記構成の冷蔵庫において、前記ガイド溝の上壁及び下壁は前記貯蔵室の側壁及び前記収納容器の側壁のいずれかから突設して前後に延びること特徴としている。この構成によると、例えば、ガイド溝の上壁と下壁は貯蔵室の側壁から突出したリブ状に形成され、貯蔵室の側壁と収納容器の側壁との隙間が広く確保される。レール部の上方に導かれる冷気はガイド溝の上壁を形成するリブ状部の上面及びレール部の上面に沿って前方へ流通する。
【００１６】
また本発明は上記構成の冷蔵庫において、前記レール部は空隙を介して前後に並設される複数の突起部から成り、前記ガイド溝の前記上壁は上下に貫通する切欠きを有すること特徴としている。この構成によると、レール部上を流通する冷気の一部は空隙を介して降下する。また、ガイド溝の上壁を形成するリブ状部の上面に沿って流通する冷気の一部は切欠き及びレール部の空隙を介して降下する。
【００１７】
また本発明は上記構成の冷蔵庫において、前記上壁の前端を前記下壁の前端よりも後方に設けたこと特徴としている。この構成によると、ガイド溝の上壁を形成するリブ状部分の上面に沿って流通する冷気の一部は上壁の前端からレール部上に降下し、レール部の空隙やレール部の前端等を介して下方に導かれる。
【００１８】
また本発明は上記構成の冷蔵庫において、前記レール部は空隙を介して前後に並設される複数の突起部から成ること特徴としている。この構成によると、レール部上を流通する冷気の一部は空隙を介して降下する。
【００１９】
また本発明は上記構成の冷蔵庫において、前記貯蔵室が野菜室から成ること特徴としている。
【発明の効果】
【００２０】
本発明によると、複数の収納容器が縦方向に並設される貯蔵室の後方上部に冷気の吐出口を設けて後方下部に戻り口を設けたので、冷気が収納容器の背面を流通して収納容器内を間接冷却することができる。また、吐出口からの冷気をレール部上に導く案内部を設けたので、冷気がレール部上を前方に流通して収納容器を両側面及び前面から間接冷却することができる。
【００２１】
従って、従来例のように収納容器に蓋を設けなくても貯蔵物の乾燥を防止することができ、部品点数を削減することができる。また、収納容器の内部の温度分布を均一にできるとともに、冷却効率を向上することができる。冷却効率の向上によって収納容器内部と外面との温度差が小さくなるため結露を防止して食品の乾燥を更に抑制することができる。加えて、貯蔵室の背後に冷気ダクトを必要としないため、貯蔵室の容積を広く確保して冷蔵庫の容積効率を向上することができる。
【００２２】
また本発明によると、案内部は貯蔵室の背壁と側壁とのコーナーにレール部と略同じ高さで突設された受け部を有するので、冷気を受け部に沿って流通させて容易にレール上に導くことができる。
【００２３】
また本発明によると、案内部は吐出口に対向する山形の第１、第２傾斜部を有するので、冷気を第１、第２傾斜面に沿って流通させて容易にレール上に導くことができる。
【００２４】
また本発明によると、第１、第２傾斜部の頂点を吐出口の中心よりも側方の貯蔵室と仕切る側方仕切壁側に偏って配置したので、外壁側に多くの冷気を導いて貯蔵室内を左右方向に均一に冷却することができる。
【００２５】
また本発明によると、吐出口が上方の貯蔵室と仕切る上方仕切壁を貫通して形成され、下方に行くほど左右に広がるので、吐出口から貯蔵室に流入する冷気が左右に拡散する。従って、冷気を容易に左右のレール部上に導くことができる。
【００２６】
また本発明によると、レール部の前端をガイド溝の前端よりも後方に設けたので、収納容器の側面に沿ってレール部上を前方へ流通する冷気の一部がレール部の前端で降下し、貯蔵室の扉まで到達する冷気量が削減される。従って、扉の外面や扉の周部に設けられるパッキンの外面等に生じる結露を防止することができる。
【００２７】
また本発明によると、ガイド溝の上壁及び下壁は貯蔵室の側壁及び収納容器の側壁のいずれかから突設して前後に延びるので、貯蔵室の側壁と収納容器の側壁との隙間が広く確保される。従って、貯蔵室の側壁と収納容器の側壁との間の流通抵抗を小さくして冷気を容易に収納容器の側面に沿って流通させることができる。
【００２８】
また本発明によると、レール部は空隙を介して前後に並設される複数の突起部から成るので、レール部上を流通する冷気の一部が空隙を介して降下する。従って、冷気を容易に下方に導くことができる。これにより、貯蔵室の扉まで到達する冷気量が削減され、扉の外面や扉の周部に設けられるパッキンの外面等に生じる結露を防止することができる。また、ガイド溝のリブ状の上壁が上下に貫通する切欠きを有するので、切欠き及びレール部の空隙を介して冷気を容易に降下させることができる。従って、貯蔵室の扉まで到達する冷気量を確実に削減できる。
【００２９】
また本発明によると、上壁の前端を下壁の前端よりも後方に設けたので、収納容器の側面に沿って上壁の上面を前方へ流通する冷気の一部が前端で降下し、貯蔵室の扉まで到達する冷気量が削減される。従って、扉の外面や扉の周部に設けられるパッキンの外面等に生じる結露を防止することができる。
【００３０】
また本発明によると、貯蔵室が野菜室から成るので、乾燥を抑制して各野菜に適した温度で収納容器内に収納することができる。
【発明を実施するための最良の形態】
【００３１】
以下に本発明の実施形態を図面を参照して説明する。図１は第１実施形態の冷蔵庫を示す正面図である。冷蔵庫１は外面を覆う外箱２ａの内側に内箱２ｂが配され、外箱２ａと内箱２ｂとの間には発泡ウレタン等の断熱材２ｃが充填されている。外箱２ａは側面部と上面部が一体となったキャビネット部２ｄと背面側のバックプレート２ｅ（図２参照）とから成っている。
【００３２】
冷蔵庫１の内部には上部に冷蔵室１１が配置されている。断熱材から成る仕切壁１６（上方仕切壁）により冷蔵室１１と隔離された下部には、野菜室１２及び冷凍室１３が左右に並んで配置されている。野菜室１２と冷凍室１３とは断熱材から成る仕切壁１９（側方仕切壁）によって隔離されている。冷凍室１３は更に断熱材から成る仕切枠１８により上部と下部に仕切られている。
【００３３】
仕切壁１９内には、ヒータ線（不図示）が内蔵されている。また、野菜室１２内には室内温度を検知する温度センサ（不図示）が設けられている。冷凍室１３と隣接する野菜室１２には冷凍室１３から冷熱が放出されるため、野菜室１２内の温度が局所的に低くなると野菜室１２内が発露する。
【００３４】
このため、最も温度の低くなりやすい仕切壁１９周囲が所定の温度になったことを温度センサにより検知すると、ヒータ線に通電して野菜室１２内の発露が防止される。仕切壁１９内のヒータ線の密度を上下方向で可変してもよい。これにより、後述するように野菜室１２内の上下方向に設けられる温度差をより簡単に形成することができる。
【００３５】
冷蔵室１１内の下部には仕切板４６で仕切られた隔離室である氷温室１４が設けられている。氷温室１４は冷蔵室１１内の右側に設けられ、冷凍室１３の直上に配置されている。冷凍室１３内の上部には製氷を行う製氷部６７が設けられている。氷温室１４の側方には、製氷部６７へ供給する水を溜めるタンク６３が着脱自在に配されている。タンク６３の背後にはタンク６３内の水を製氷部６７へ給水するポンプ（不図示）が設置されている。
【００３６】
仕切壁１６には貫通孔から成る吐出口１６ａが形成される。吐出口１６ａにより冷蔵室１１内の冷気が野菜室１２に吐出される。吐出口１６ａは上部よりも下部が左右に広がるように形成される。野菜室１２の上部には吐出口１６ａに対向して山形に形成される第１、第２傾斜部９１、９２が背壁９３（図５参照）から突設されている。
【００３７】
第１、第２傾斜部９１、９２は吐出口１６ａの中心に対して頂点が冷凍室１３側に偏って配置され、第１傾斜部９１が第２傾斜部９２よりも長くなっている。これにより、冷蔵庫１の外壁側に冷気を多く導いて野菜室１２内を左右方向に均一に冷却することができる。
【００３８】
図２は図１のＡ−Ａ断面図を示している。野菜室１２及び冷凍室１３の前面は把手６ａ、７ａを把持して回動する断熱扉６、７により開閉可能になっている。断熱扉６、７の端面にはパッキン６ｂ、７ｂが設けられ、隙間を塞いで野菜室１２及び冷凍室１３を密閉できるようになっている。同様に、冷蔵室１１の前面は観音開きの断熱扉３、４（図３、５参照）により開閉可能になっている。
【００３９】
図３は冷蔵庫１の右側面断面図を示している。冷蔵室１内には貯蔵物が載置される複数の載置棚４５が設けられる。断熱扉６には複数のドアポケット４４が設けられる。また、断熱扉７にも同様のドアポケット４４が設けられる（図５参照）。
【００４０】
冷凍室１３の上部は、スライド式の断熱扉５により前面が開閉可能になっている。断熱扉５の上端に設けられた把手部（不図示）を把持して断熱扉５と一体の収納容器５５を引出せるようになっている。冷凍室１３の下部は回動式の断熱扉６により前面が開閉可能になっている。断熱扉６の上端に設けられた把手部（不図示）を把持して断熱扉６を開き、収納容器５６ａ、５６ｂ、５６ｃを引出せるようになっている。
【００４１】
収納容器５６ａ、５６ｂ、５６ｃはそれぞれ深さが異なり、貯蔵物の大きさに応じて収納することにより貯蔵物の積み重ねが回避される。これにより、大きな貯蔵物を収納できるとともに、積み重なった下方の貯蔵物を取り出す手間がなくなり良好な使い勝手が得られる。
【００４２】
冷凍室１３の下部の背後には、バックプレート２ｅと一体化される断熱壁２０ａを介して圧縮機２０が配されている。圧縮機２０は冷気通路２３内に配される冷却器２１に連結され、冷凍サイクルを運転する。
【００４３】
図４は冷凍サイクルの回路図を示している。圧縮機２０の一端には凝縮器７１が接続され、他端には冷却器２１が接続されている。凝縮器７１と冷却器２１とはキャピラリーチューブ７２を介して接続されている。
【００４４】
圧縮機２０が駆動されると、矢印Ａ１の方向に冷媒が流れる。圧縮された冷媒は凝縮器７１で熱を放出して凝縮する。凝縮して液化された冷媒はキャピラリーチューブ７２で減圧された後、気化する際に冷却器２１で熱を奪って圧縮機２０に戻る。これにより、冷却器２１で空気が冷却され、送風機２２により冷気が送出される。尚、７３は凝縮器７１を冷却する凝縮器用送風機である。
【００４５】
図３において、冷却器２１の下方には除霜を行うガラス管式の除霜ヒータ６２が設けられている。除霜ヒータ６２の下方には除霜水を受けるドレン受け部材６４が設けられる。ドレン受け部材６４の下方には蒸発皿（不図示）が配され、ドレン受け部材６４の流出孔６４ａに接続されたドレンホース（不図示）によりドレン水が蒸発皿に導かれるようになっている。
【００４６】
冷却器２１は冷凍室１３の後方に設けられた冷気通路２３内に配されている。冷気通路２３は背面側が内箱２ｂにより形成され、前面側が樹脂成形品から成るエバカバー３３により形成されている。エバカバー３３には、冷気が通る空間３３ｅが設けられている。空間３３ｅは冷凍室１３の背面を形成する背面板３３ａにより前面側が覆われている。冷気通路２３内の冷却器２１の上方には送風機２２が配されている。冷気通路２３は背面板３３ａに設けられた吐出口１３ａ〜１３ｄ及び戻り口３３ｂによって冷凍室１３と連通している。
【００４７】
尚、エバカバー３３と背面板３３ａとの間の空間３３ｅは、エバカバー３３から突出した突出壁３３ｄで仕切られている。これにより、吐出口１３ａ〜１３ｄ側と戻り口３３ｂ側とが分離され、戻り口３３ｂに連通した開口部３３ｃを介して冷凍室１３内の冷気が冷気通路２３に戻る。また、仕切壁１９（図１参照）には戻り口１９ａが設けられ、後述するように、野菜室１２内を循環した冷気が戻り口１９ａを介して冷気通路２３に戻るようになっている。
【００４８】
仕切壁１６の上方には、冷気通路２３と連通する送風機室２４が設けられる。送風機室２４はダンパ２５により冷気通路２３との連通口を開閉され、送風機室２４内には送風機２６が設けられている。送風機室２４と連通する上方には冷気通路２９が設けられている。ダンパ２５を開いて送風機２６を駆動すると、冷気通路２９に冷気が流通し、冷蔵室１１及び野菜室１２に冷気が送出されるようになっている。
【００４９】
冷気通路２９の背面は内箱２ｂにより形成され、前面は冷却板４２により形成されている。冷却板４２はアルミニウムやステンレス等の金属板を板金加工して形成され、背面側に断熱材４２ｂが貼着されている。
【００５０】
前述の図１に示すように、冷気通路２９は中央に配される上昇通路２９ａと、両側部に配される下降通路２９ｂとを有している。下降通路２９ｂの周部には複数の吐出口４２ａが設けられ、冷気が冷蔵室１１内に吐出されるようになっている。
【００５１】
また、冷気通路２９を通る冷気による冷熱が冷却板４２を介して冷蔵室１１内に放出され、冷蔵室１１内が均一に冷却される。冷却板４２による冷蔵室１１への冷熱の放出を部分的に調整してもよい。例えば、冷却板４２と断熱材４２ｂとの間に隙間を設けて該隙間に微量の冷気を流して冷気の放出量を調整できる。また、断熱材４２ｂの厚みを可変して冷気の放出量を調整できる。
【００５２】
冷蔵室１１の天井部分には冷気通路２９と連通口２９ｃを介して連通する天井冷気通路５７が設けられている。天井冷気通路５７は樹脂成形品から成る上面板４３と内箱２ｂとにより形成されている。上面板４３には吐出口４３ａが設けられ、上面側に断熱材４３ｂ（図３参照）が貼着されている。冷蔵室１１の天井中央部には透明な照明カバー５２で覆われた照明灯（不図示）が設けられ、冷蔵室１１内を照明するようになっている。
【００５３】
また、冷気通路２９から分岐して氷温室１４に連結される分岐通路６０が形成されている。分岐通路６０は吐出口６０ａから冷気を氷温室１４に吐出する。冷蔵室１１の下部には開口部４９ａが開口した連通路４９が設けられる。連通路４９は仕切壁１６を貫通する吐出口１６ａに連結され、野菜室１２に連通する。
【００５４】
図５は冷蔵庫１の左側面断面図を示している。連通路４９は樹脂成形品から成るカバー５０を内箱２ｂに取付けて形成されている。冷蔵室１１内を循環した冷気は連通路４９を通り、仕切壁１６に設けられた吐出口１６ａを介して野菜室１２に吐出される。
【００５５】
野菜室１２は回動式の断熱扉７により前面が開閉可能になっている。断熱扉７の上端に設けられた把持部（不図示）を把持して断熱扉７を開き、収納容器５４ａ、５４ｂ、５４ｃ、５４ｄを引出せるようになっている。収納容器５４ａ、５４ｂ、５４ｃ、５４ｄはそれぞれ深さが異なり、貯蔵物の大きさに応じて収納することにより貯蔵物の積み重ねが回避される。
【００５６】
これにより、スイカ等の大きい野菜や重い野菜等を下方に楽に収納できるとともに、積み重なった下方の貯蔵物を取り出す手間がなくなり利便性がよい。また、積み重ねによる野菜等の損傷を防止することができる。
【００５７】
更に、野菜室１２は縦長になっているため、断熱扉７の背面には縦長の野菜（例えば、長ネギ、ゴボウ、ニラ、セロリ等）を立てたまま収納できる収納部５８が設けられている。収納部５８によって、縦長の野菜を自然に生えているままの姿勢で貯蔵できる。また、後述するように、野菜室１２に流入する冷気の一部のみが前面側を流通する。このため、野菜に直接接触する冷気量が少なく、野菜の乾燥を抑制できる。従って、縦長の野菜を新鮮な状態で長期間の保存が可能となる。
【００５８】
尚、収納部５８には、上下に可動して貯蔵物の背面側を支持する支持部５８ａが設けられている。これにより、長さの異なる貯蔵物の最適な位置を支持して転倒を防止することができるようになっている。
【００５９】
図６は野菜室１２の収納容器５４ａを示す斜視図である。収納容器５４ａは樹脂成形品から成り、前後に延びるレール部８２が両側壁に突設されている。レール部８２は空隙８２ｂを介して前後に並設される複数の突起部８２ａにより形成されている。尚、収納容器５４ｂ〜５４ｄも収納容器５４ａと同様に形成されている。
【００６０】
図７は野菜室１２内の要部を示す斜視図である。野菜室１２の両側壁９４にはレール部８２に嵌合するガイド溝８１が前後に延びて形成される。ガイド溝８１の上壁及び下壁は野菜室１２の側壁９４から突出して前後に延びるリブ状部材８１ａ、８１ｂにより形成されている。ガイド溝８１は各収納容器５４ａ〜５４ｄに対応して設けられる。
【００６１】
また、上方のリブ状部材８１ａに連続して野菜室１２の側壁９４と背壁９３のコーナーに沿ってＬ字型の受け部８０が突設されている。
【００６２】
図８はレール部８２とガイド溝８１との嵌合状態を示す正面断面図である。ガイド溝８１にレール部８２が嵌合し、ガイド溝８１の摺動案内によって収納容器５４ａ〜５４ｄを前後にスライド移動することができる。尚、リブ状部材８１ａ、８１ｂと収納容器５４ａの側面との間には所定量の隙間８２ｃが形成されている。
【００６３】
上記構成の冷蔵庫１において、圧縮機２０の駆動により冷却器２１が冷却される。送風機２２が駆動されると、冷凍室１３内の空気は戻り口３３ｂから開口部３３ｃを介して冷気通路２３に流入する。冷気通路２３を流通する空気は冷却器２１と熱交換して冷却され、吐出口１６ａ、１３ｂ、１３ｃ、１３ｄから冷凍室１３内に吐出される。これにより、冷凍室１３内が例えば−２０℃に冷却される。
【００６４】
ダンパ２５を開いて送風機２６が駆動されると、冷気通路２３内の冷気の一部が冷気通路２９及び天井冷気通路５７に送られる。そして、吐出口４２ａ、４３ａから冷気が冷蔵室１１内に吐出される。また、冷却板４２は金属から成るので、冷気通路２９内を流通する冷気の冷熱の一部は冷却板４２を介して冷蔵室１１内に冷熱として放出される。
【００６５】
従って、冷却板４２から放出される冷熱と吐出口４２ａ、４３ａから吐出される冷気とによって冷蔵室１１内が例えば３℃に効率良く均一に冷却される。冷却板４２は熱伝導性の高い材料であればよく、セラミック材料や金属フィラーを含浸した樹脂材料等を使用してもよい。
【００６６】
また、冷気通路２３を通った低温の冷気の一部が直ちに分岐通路６０を通って吐出口６０ａから氷温室１４に適量吐出される。これにより、氷温室１４内の温度を例えば−１℃に維持できるようになっている。
【００６７】
冷蔵室１１に吐出された冷気は載置棚４５の前面を通り、氷温室１４内の冷気とともに連通路４９を介して吐出口１６ａから野菜室１２に吐出される。吐出口４２ａ、４３ａから冷蔵室１１に吐出された冷気は、野菜室１２に流入するまでの間に食品等に冷熱を奪われる。これにより、冷蔵室１１内を循環する冷気の温度は上昇し、昇温された冷気が野菜室１２に流入する。
【００６８】
吐出口１６ａを通過する冷気は左右に広がって野菜室１２内に吐出される。野菜室１２内に吐出された冷気は吐出口１６ａに対向する第１、第２傾斜部９１、９２によって左右方向に更に拡散しながら背壁９３と収納容器５４ａの背面との間を下方へ流れる。下方へ流れる冷気の一部は受け部８０によって前方へ案内され、レール部８２及びガイド溝８１の上壁を形成するリブ状部材８１ａの上方に導かれる。即ち、第１、第２傾斜部９１、９２及び受け部８０は冷気をレール部８２及びリブ状部材８１ａ上に案内する案内部を構成する。これにより、冷気はレール部８２及びリブ状部材８１ａの案内によって収納容器５４ａの側面に沿って前方へ導かれる。
【００６９】
収納容器５４ａの側面に沿って流れる冷気は野菜室１２の前部を流下する。これにより、収納容器５４ａの背面、両側面及び前面下部を介して収納容器５４ａの内部が間接冷却される。この時、冷気は吐出口１６ａから下方に流れるため収納容器５４ａの上面には冷気が殆ど流通しない。このため、収納容器５４ａ内の貯蔵物に直接冷気が接触せず、貯蔵物の乾燥を抑制することができる。
【００７０】
また、レール部８２の上方の隙間８２ｃを前方へ流通する冷気の一部はレール部８２の空隙８２ｂを介して降下する。これにより、収納容器５４ａの下部を側面から冷却するとともに、下方の収納容器５４ｂの側面に沿って冷気が降下する。
【００７１】
同様に、収納容器５４ａの後方の受け部８０よりも下方に流通した冷気は背壁９３と収納容器５４ｂの背面との間を流下する。該冷気の一部は収納容器５４ｂの後方の受け部８０によって前方へ案内され、収納容器５４ａのレール部８２の空隙８２ｂを介して降下した冷気と合流する。
【００７２】
そして、冷気は収納容器５４ｂの側面に沿って前方に流通して収納容器５４ｂの前部を流下する。また、冷気の一部はレール部８２の空隙８２ｂを介して降下する。これにより、収納容器５４ｂの下部を側面から冷却するとともに、下方の収納容器５４ｃの側面に沿って冷気が降下する。従って、収納容器５４ｂは背面、側面及び前面から間接冷却される。
【００７３】
同様に、収納容器５４ｂの後方の受け部８０よりも下方に流通した冷気は背壁９３と収納容器５４ｃの背面との間を流下する。該冷気の一部は収納容器５４ｃの後方の受け部８０によって前方へ案内され、収納容器５４ｂのレール部８２の空隙８２ｂを介して降下した冷気と合流する。
【００７４】
そして、冷気は収納容器５４ｃの側面に沿って前方に流通して収納容器５４ｃの前部を流下する。また、冷気の一部はレール部８２の空隙８２ｂを介して降下する。これにより、収納容器５４ｃの下部を側面から冷却するとともに、下方の収納容器５４ｄの側面に沿って冷気が降下する。従って、収納容器５４ｃは背面、側面及び前面から間接冷却される。
【００７５】
収納容器５４ｃの後方の受け部８０よりも下方に流通した冷気は戻り口１９ａから流出する。また、収納容器５４ａ〜５４ｄの前部を流下する冷気は収納容器５４ｄのレール部８２及び底面に沿って後方に流通し、戻り口１９ａから流出する。これにより、収納容器５４ｄは側面、前面及び底面から間接冷却される。
【００７６】
本実施形態によると、複数の収納容器５４ａ〜５４ｄが縦方向に並設される野菜室１２の後方上部に冷気の吐出口１６ａを設けて後方下部に戻り口１９ａを設けたので、冷気が収納容器５４ａ〜５４ｃの背面を流通して収納容器５４ａ〜５４ｃ内を間接冷却することができる。また、吐出口１６ａからの冷気をレール部８２上に導く案内部（第１、第２傾斜部９１、９２及び受け部８０）を設けたので、冷気がレール部８２上を前方に流通して収納容器５４ａ〜５４ｃを側面及び前面から間接冷却することができる。
【００７７】
従って、従来例のように収納容器に蓋を設けなくても貯蔵物の乾燥を防止することができ、部品点数を削減することができる。また、収納容器５４ａ〜５４ｃの内部の温度分布を均一にできるとともに、冷却効率を向上することができる。冷却効率の向上によって収納容器５４ａ〜５４ｃ内部と外面との温度差が小さくなるため結露を防止して食品の乾燥を更に抑制することができる。加えて、野菜室１２の背後に冷気ダクトを必要としないため、野菜室１２の容積を広く確保して冷蔵庫１の容積効率を向上することができる。
【００７８】
尚、受け部８０はガイド溝８１の上壁を形成するリブ状部材８１ａに連続して形成しているが、リブ状部材８１ａと離して形成してもよい。即ち、野菜室２の背壁９３と側壁９４とのコーナーにレール部８２と略同じ高さで受け部８０を突設すればよい。これにより、受け部８０によってレール部８２上に冷気を容易に導くことができる。
【００７９】
また、ガイド溝８１の上壁及び下壁は収納容器５４ａ〜５４ｄの側壁から突設されるので、野菜室１２の側壁９４と収納容器５４ａ〜５４ｄの側壁との隙間が広く確保される。従って、野菜室１２の側壁９４と収納容器５４ａ〜５４ｄの側壁との間の流通抵抗を小さくして冷気を収納容器５４ａ〜５４ｄの側面に沿って容易に流通させることができる。
【００８０】
尚、レール部８２を野菜室１２の前部から後部に亙って空隙８２ｂを設けずに連続して形成してもよい。しかしながら、本実施形態のように、空隙８２ｂを介して前後に並設される複数の突起部８２ａによりレール部８２を形成するとより望ましい。即ち、空隙８２ｂを介してレール部８２上を流通する冷気の一部を降下させることができ、冷気を下方の収納容器の側面に沿って確実に流通させることができる。従って、野菜室１２の断熱扉７まで到達する冷気量が削減され、断熱扉７の外面や断熱扉７の周部に設けられるパッキン（不図示）の外面等に生じる結露を防止することができる。
【００８１】
次に第２実施形態について説明する。本実施形態は前述の図１〜図８に示す第１実施形態に対してガイド溝８１の構成が異なっている。その他の部分は第１実施形態と同様である。
【００８２】
図９は本実施形態のガイド溝８１を示す斜視図であり、前述の図７のＢ部を示している。本実施形態はガイド溝８１の上壁を形成するリブ状部材８１ａの前端８１ｃが下壁を形成するリブ状部材８１ｂの前端８１ｄよりも後方に設けられている。即ち、リブ状部材８１ａの前端８１ｃはリブ状部材８１ｂの長さの約１／３程度だけリブ状部材８１ｂの前端８１ｄよりも後方に配置される。
【００８３】
ガイド溝８１の下壁の前端８１ｄは上壁の前端８１ｃよりも前方まで配されるためレール部８２を確実に支持して収納容器５４ａ〜５４ｄをスライド移動させることができる。また、リブ状部材８１ａの上面を前方に流通する冷気の一部は前端８１ｃから降下し、レール部８２の空隙８２ｂを介して収納容器５４ａ〜５４ｃの下部に沿って流下する。これにより、野菜室１２の断熱扉７まで到達する冷気量が削減される。従って、断熱扉７の外面や断熱扉７の周部に設けられるパッキン（不図示）の外面等に生じる結露を防止することができる。
【００８４】
尚、レール部８２の前端をガイド溝８１の前端よりも後方に設けても同様の効果を得ることができる。即ち、レール部８２の上方の隙間８２ｃ（図８参照）を前方に流通する冷気の一部はレール部８２の前端から降下し、収納容器５４ａ〜５４ｃの下部に沿って流下する。
【００８５】
これにより、上記と同様に野菜室１２の断熱扉７まで到達する冷気量が削減される。従って、断熱扉７の外面や断熱扉７の周部に設けられるパッキン（不図示）の外面等に生じる結露を防止することができる。この時、ガイド溝８１の上壁の前端８１ｃを下壁の前端８１ｄよりも後方に配置してもよい。
【００８６】
次に第３実施形態について説明する。本実施形態は前述の図１〜図８に示す第１実施形態に対してガイド溝８１の構成が異なっている。その他の部分は第１実施形態と同様である。
【００８７】
図１０は本実施形態のガイド溝８１を示す斜視図であり、前述の図７のＢ部を示している。本実施形態はガイド溝８１の上壁を形成するリブ状部材８１ａは上下に貫通する切欠き８１ｅを有している。リブ状部材８１ａの上面に沿って流通する冷気の一部は切欠き８１ｅ及びレール部８２の空隙８２ｂを介して収納容器５４ａ〜５４ｃの下部に沿って流下する。従って、野菜室１２の断熱扉７まで到達する冷気量が削減され、断熱扉７の外面や断熱扉７の周部に設けられるパッキン（不図示）の外面等に生じる結露を防止することができる。加えて、第２実施形態に比して、収納容器５４ａ〜５４ｄの引出し量を大きくすることができる。
【００８８】
次に第４実施形態について説明する。本実施形態は前述の図１〜図８に示す第１実施形態に対してガイド溝８１の構成が異なっている。その他の部分は第１実施形態と同様である。
【００８９】
図１１は本実施形態のガイド溝８１を示す斜視図であり、前述の図７のＢ部を示している。本実施形態は前後に延びるガイド溝８１が野菜室１２の側壁９４に凹設されている。受け部８０（図７参照）は野菜室１２の側壁９４と背壁９３とのコーナーにガイド溝８１と略同じ高さで突設されている。この構成によると、第１実施形態に比して収納容器５４ａ〜５４ｃと野菜室１２の側壁９４との間の隙間が小さくなるため流通抵抗が大きくなるが、レール部８２により冷気を前方へ導くことができる。従って、第１実施形態と同様の効果を得ることができる。
【００９０】
第１〜第４実施形態において、ガイド溝８１を野菜室１２の側壁９４に設けてレール部８２を収納容器５４ａ〜５４ｄの側壁に突設しているが、ガイド溝８１を収納容器５４ａ〜５４ｄの側壁に設けてレール部８２を野菜室１２の側壁９４に突設してもよい。また、ガイド溝８１またはレール部８２に回転自在のローラーを配してもよい。
【産業上の利用可能性】
【００９１】
本発明によると、貯蔵室内に複数の収納容器を有する冷蔵庫に利用することができる。
【図面の簡単な説明】
【００９２】
【図１】本発明の第１実施形態の冷蔵庫を示す正面図
【図２】本発明の第１実施形態の冷蔵庫を示す上面断面図
【図３】本発明の第１実施形態の冷蔵庫を示す右側面断面図
【図４】本発明の第１実施形態の冷蔵庫の冷凍サイクルを示す回路図
【図５】本発明の第１実施形態の冷蔵庫を示す左側面断面図
【図６】本発明の第１実施形態の冷蔵庫の野菜室の収納容器を示す斜視図
【図７】本発明の第１実施形態の冷蔵庫の野菜室の要部を示す斜視図
【図８】本発明の第１実施形態の冷蔵庫の野菜室のガイド溝とレール部との嵌合状態を示す正面断面図
【図９】本発明の第２実施形態の冷蔵庫の野菜室のガイド溝を示す斜視図
【図１０】本発明の第３実施形態の冷蔵庫の野菜室のガイド溝を示す斜視図
【図１１】本発明の第４実施形態の冷蔵庫の野菜室のガイド溝を示す斜視図
【符号の説明】
【００９３】
１    冷蔵庫
２ａ  外箱
２ｂ  内箱
２ｃ  断熱材
３、４、５、６、７  断熱扉
１１    冷蔵室
１２    野菜室
１３    冷凍室
１４    氷温室
１６、１９  仕切壁
１６ａ  吐出口
１９ａ  戻り口
２０    圧縮機
２１    冷却器
２２、２６  送風機
２３、２９  冷気通路
２５    ダンパ
３３    エバカバー
３３ａ  背面板
４２    冷却板
４９    連通路
５４ａ〜５４ｄ、５５、５６ａ〜５６ｃ  収納容器
５７    天井冷気通路
５８    収納部
６２    除霜ヒータ
６３    タンク
６４    ドレン受け部材
６７    製氷部
８０    受け部
８１    ガイド溝
８１ａ、８１ｂ  リブ状部材
８１ｅ  切欠き
８２    レール部
８２ａ  突起部
８２ｂ  空隙
９１    第１傾斜部
９２    第２傾斜部
９３    背壁
９４    側壁
【図１】
2008304076.tif 000003
【図２】
2008304076.tif 000004
【図３】
2008304076.tif 000005
【図４】
2008304076.tif 000006
【図５】
2008304076.tif 000007
【図６】
2008304076.tif 000008
【図７】
2008304076.tif 000009
【図８】
2008304076.tif 000010
【図９】
2008304076.tif 000011
【図１０】
2008304076.tif 000012
【図１１】
2008304076.tif 000013